(57)【要約】【課題】簡易な構成及び操作により移動棚をロックすることができる移動棚のロック装置を提供する。【解決手段】移動棚のロック装置は、作業者が乗る第１踏板と、前記第１踏板の裏面に床面から上方へ向かう第１方向に第１付勢力を与える第１付勢部と、前記第１踏板の上下方向の位置を固定する固定部と、を備え、第１作業空間における前記第１踏板の上面に前記第１付勢力に抗する第２方向の力が加えられて当該第１踏板が下方位置に移動した場合は、当該第１踏板の側部が前記第１移動棚に当接可能になり、前記第１移動棚の前記第１作業空間への移動が抑制され、前記第１踏板が前記下方位置において前記固定部により固定されているときに当該第１踏板の固定状態が解除された場合は、当該第１踏板が前記第１付勢力により前記第１方向に移動することによって、前記第１移動棚の前記第１作業空間への移動が可能になる。【選択図】図１０
2019033962.tif 000002
【特許請求の範囲】
【請求項１】
レール上を走行する車輪を有する移動棚のロック装置であって、
上方を第１移動棚が通過するとともに、上下方向に移動可能な、作業者が乗る第１踏板と、
前記第１踏板の裏面に、床面から上方へ向かう第１方向に第１付勢力を与える第１付勢部と、
前記第１踏板の上下方向の位置を固定する固定部と、
を備え、
第１作業空間における前記第１踏板の上面に前記第１付勢力に抗する第２方向の力が加えられて当該第１踏板が下方位置に移動した場合は、当該第１踏板の側部が前記第１移動棚に当接可能になり、前記第１移動棚の前記第１作業空間への移動が抑制され、
前記第１踏板が前記下方位置において前記固定部により固定されているときに当該第１踏板の固定状態が解除された場合は、当該第１踏板が前記第１付勢力により前記第１方向に移動することによって、前記第１移動棚の前記第１作業空間への移動が可能になる、
ことを特徴とする移動棚のロック装置。
【請求項２】
前記第１作業空間における前記第１踏板の上面に前記第２方向の力が与えられた場合は、当該第１踏板における前記下方位置に移動した前記側部が、前記第１移動棚の側部に当接可能になり、
前記第１踏板が前記下方位置に固定されているときに当該第１踏板の固定状態が解除された場合は、当該第１踏板における前記側部が前記第１方向に移動することによって、前記第１移動棚の前記第１作業空間への移動が可能になる、
ことを特徴とする請求項１に記載の移動棚のロック装置。
【請求項３】
前記固定部は、
前記第１踏板の上面から前記第１方向に突出して設けられた操作部と、前記操作部の操作に応じて作動する係合部と、を含むラッチ機構と、
前記係合部が係合する被係合部と、
を有し、
前記第１作業空間における前記第１踏板の上面に前記第２方向の力が与えられた場合は、前記係合部が前記被係合部に係合することによって、当該第１踏板が前記下方位置に固定され、
前記第１踏板が前記下方位置に固定されているときに前記操作部に前記第２方向の力が加えられた場合は、前記係合部と前記被係合部との係合状態が解除されることによって、当該第１踏板の固定状態が解除される、
ことを特徴とする請求項１又は２に記載の移動棚のロック装置。
【請求項４】
前記第１踏板が固定状態の間は、前記床面から前記第１踏板の上面までの高さと、前記床面から前記レールの上面までの高さとが略一致する、
ことを特徴とする請求項１から３の何れか１項に記載の移動棚のロック装置。
【請求項５】
前記第１付勢力は、前記第１踏板における前記作業者が出入りする前側、及び、その反対側である後側のうちの一方側の裏面に与えられ、
前記第１踏板の前側及び後側のうちの他方側の端部は、前記第１踏板が前記第１方向及び前記第２方向に回転可能に固定されている、
ことを特徴とする請求項１から４の何れか１項に記載の移動棚のロック装置。
【請求項６】
前記ロック装置は、前記車輪が設けられた台車に設置された第１ストッパを、さらに備え、
前記第１ストッパは、前記台車の底面から前記床面に向かって延在する第１部分と、前記第１部分から、前記第１移動棚の移動方向に交わる方向に延在する第２部分と、を備え、
前記第１踏板が固定状態の間は、前記床面から前記第１踏板までの高さと、前記床面から前記第２部分までの高さとが略等しく、前記第１踏板の側部が前記第２部分に当接可能である一方、
前記第１踏板の固定状態が解除されている間は、前記床面から前記第１踏板の下面までの高さが、前記床面から前記第２部分までの高さより高く、前記第１移動棚の移動に伴って、前記第２部分が前記床面と前記第１踏板との間を移動可能である、
ことを特徴とする請求項１から５の何れか１項に記載の移動棚のロック装置。
【請求項７】
前記第２部分が前記床面と前記第１踏板との間に存在するときに前記第１踏板の上面に前記第２方向の力が与えられた場合は、前記第１踏板が前記第２方向に移動して前記第１踏板の裏面が前記第２部分の上面に当接することによって、前記第１移動棚の前記第１作業空間への移動を抑制する、
ことを特徴とする請求項６に記載の移動棚のロック装置。
【請求項８】
前記第１ストッパは、前記第１移動棚が前記レール上に設置された状態で、前記台車に取り外し可能に設置され、
前記第１踏板は、前記第１移動棚が前記レール上に設置された状態で、前記レールに近接して設置される、
ことを特徴とする請求項６に記載の移動棚のロック装置。
【請求項９】
上方を第２移動棚が通過するとともに、上下方向に移動可能な、作業者が乗る第２踏板と、
前記第２踏板の裏面に、床面から上方へ向かう第１方向に第２付勢力を与える第２付勢部と、
をさらに備え、
第２作業空間における前記第２踏板の上面に前記第２付勢力に抗する第２方向の力が与えられている第１状態の間は、当該第２踏板の側部が前記第２移動棚に当接可能であることによって、前記第２移動棚の前記第２作業空間への移動が抑制される一方、
前記第２作業空間における前記第２踏板の上面に前記第２方向の力が与えられていない第２状態の間は、前記第２移動棚の前記第２作業空間への移動が可能である、
ことを特徴とする請求項１から８の何れか１項に記載の移動棚のロック装置。
【請求項１０】
前記第１状態は、前記作業者が前記第２作業空間における前記第２踏板に乗っている状態であり、前記第２状態は、前記作業者が前記第２作業空間における前記第２踏板に乗っていない状態である、
ことを特徴とする請求項９に記載の移動棚のロック装置。
【請求項１１】
前記第２移動棚は、前記第１移動棚の後列に配置されている、
ことを特徴とする請求項９又は１０に記載の移動棚のロック装置。
【発明の詳細な説明】
【技術分野】
【０００１】
本発明は、移動棚のロック装置に関する。
【背景技術】
【０００２】
従来より、オフィス等において、限られた空間を有効活用し、書類等の物品を効率よく収納する移動棚が提供されている。上記移動棚は、例えば横方向に並んで設置された複数の固定棚の前に設置される。作業者は、後列の固定棚を使用する場合には、前列の移動棚を横方向に移動させ、これにより形成された作業空間に入って作業を行う。ここで、作業者が作業空間において作業中に、他の作業者が移動棚を移動させたり、地震等により移動棚が移動したりすると、上記作業空間が狭まり、作業者が移動棚に接触するおそれがある。
【０００３】
そこで、従来、上記移動棚の移動を抑制（ロック）する技術が提案されている。例えば、特許文献１には、移動棚の移動を規制する移動棚規制装置が開示されている。上記移動棚規制装置は、一対のガイドレールの間に配置されたベース部に設けられている。例えば、作業者が作業空間において移動棚規制装置を構成するペダル部の一端部を踏み込むと、上記ペダル部の他端部が上記ベース部の上面から上方に突出して上記移動棚の側面に当接可能になる。上記構成によれば、作業者は、作業空間に入って作業を行う際に、上記移動棚規制装置を操作することにより、上記移動棚の移動を規制することが可能になる。
【先行技術文献】
【特許文献】
【０００４】
【特許文献１】特開２０１３−７８４２７号公報
【発明の概要】
【発明が解決しようとする課題】
【０００５】
しかしながら、上記特許文献１の技術では、上記移動棚規制装置を、上記ベース部の内部に組み込まなければならないため、移動棚全体の構成が複雑化してしまう。また、作業者は、上記移動棚をロックするために、作業空間に入った後に上記ペダル部を踏み込まなければならないため、面倒な操作を強いられることになる。さらに、作業者が、上記移動棚をロックする操作を忘れて作業を行ったり、当該操作を意識的に省いて作業を行うことも考えられ、安全性を確保することが難しい。
【０００６】
本発明は、上記実情に鑑みてなされたものであり、その目的は、簡易な構成及び操作により移動棚をロックすることができるロック装置を提供することにある。
【課題を解決するための手段】
【０００７】
上記課題を解決するために、本発明に係る移動棚のロック装置は、レール上を走行する車輪を有する移動棚のロック装置であって、上方を第１移動棚が通過するとともに、上下方向に移動可能な、作業者が乗る第１踏板と、前記第１踏板の裏面に、床面から上方へ向かう第１方向に第１付勢力を与える第１付勢部と、前記第１踏板の上下方向の位置を固定する固定部と、を備え、第１作業空間における前記第１踏板の上面に前記第１付勢力に抗する第２方向の力が加えられて当該第１踏板が下方位置に移動した場合は、当該第１踏板の側部が前記第１移動棚に当接可能になり、前記第１移動棚の前記第１作業空間への移動が抑制され、前記第１踏板が前記下方位置において前記固定部により固定されているときに当該第１踏板の固定状態が解除された場合は、当該第１踏板が前記第１付勢力により前記第１方向に移動することによって、前記第１移動棚の前記第１作業空間への移動が可能になる、ことを特徴とする。
【０００８】
上記構成によれば、例えば作業者が作業空間に入って踏板に乗ることにより、踏板の側面が移動棚に当接可能になるため移動棚をロックすることができる。よって、上記ロック装置によれば、簡易な構成及び操作により移動棚をロックすることができる。
【０００９】
ここで本発明に係る移動棚のロック装置では、前記第１作業空間における前記第１踏板の上面に前記第２方向の力が与えられた場合は、当該第１踏板における前記下方位置に移動した前記側部が、前記第１移動棚の側部に当接可能になり、前記第１踏板が前記下方位置に固定されているときに当該第１踏板の固定状態が解除された場合は、当該第１踏板における前記側部が前記第１方向に移動することによって、前記第１移動棚の前記第１作業空間への移動が可能になる構成とすることもできる。
【００１０】
また本発明に係る移動棚のロック装置では、前記固定部は、前記第１踏板の上面から前記第１方向に突出して設けられた操作部と、前記操作部の操作に応じて作動する係合部と、を含むラッチ機構と、前記係合部が係合する被係合部と、を有し、前記第１作業空間における前記第１踏板の上面に前記第２方向の力が与えられた場合は、前記係合部が前記被係合部に係合することによって、当該第１踏板が前記下方位置に固定され、前記第１踏板が前記下方位置に固定されているときに前記操作部に前記第２方向の力が加えられた場合は、前記係合部と前記被係合部との係合状態が解除されることによって、当該第１踏板の固定状態が解除される構成とすることもできる。
【００１１】
また本発明に係る移動棚のロック装置では、前記第１踏板が固定状態の間は、前記床面から前記第１踏板の上面までの高さと、前記床面から前記レールの上面までの高さとが略一致してもよい。
【００１２】
また本発明に係る移動棚のロック装置では、前記第１付勢力は、前記第１踏板における前記作業者が出入りする前側、及び、その反対側である後側のうちの一方側の裏面に与えられ、前記第１踏板の前側及び後側のうちの他方側の端部は、前記第１踏板が前記第１方向及び前記第２方向に回転可能に固定されてもよい。
【００１３】
また本発明に係る移動棚のロック装置では、前記ロック装置は、前記車輪が設けられた台車に設置された第１ストッパを、さらに備え、前記第１ストッパは、前記台車の底面から前記床面に向かって延在する第１部分と、前記第１部分から、前記第１移動棚の移動方向に交わる方向に延在する第２部分と、を備え、前記第１踏板が固定状態の間は、前記床面から前記第１踏板までの高さと、前記床面から前記第２部分までの高さとが略等しく、前記第１踏板の側部が前記第２部分に当接可能である一方、前記第１踏板の固定状態が解除されている間は、前記床面から前記第１踏板の下面までの高さが、前記床面から前記第２部分までの高さより高く、前記第１移動棚の移動に伴って、前記第２部分が前記床面と前記第１踏板との間を移動可能である構成としてもよい。
【００１４】
また本発明に係る移動棚のロック装置では、前記第２部分が前記床面と前記第１踏板との間に存在するときに前記第１踏板の上面に前記第２方向の力が与えられた場合は、前記第１踏板が前記第２方向に移動して前記第１踏板の裏面が前記第２部分の上面に当接することによって、前記第１移動棚の前記第１作業空間への移動を抑制する構成としてもよい。
【００１５】
また本発明に係る移動棚のロック装置では、前記第１ストッパは、前記第１移動棚が前記レール上に設置された状態で、前記台車に取り外し可能に設置され、前記第１踏板は、前記第１移動棚が前記レール上に設置された状態で、前記レールに近接して設置されてもよい。
【００１６】
また本発明に係る移動棚のロック装置では、上方を第２移動棚が通過するとともに、上下方向に移動可能な、作業者が乗る第２踏板と、前記第２踏板の裏面に、床面から上方へ向かう第１方向に第２付勢力を与える第２付勢部と、をさらに備え、第２作業空間における前記第２踏板の上面に前記第２付勢力に抗する第２方向の力が与えられている第１状態の間は、当該第２踏板の側部が前記第２移動棚に当接可能であることによって、前記第２移動棚の前記第２作業空間への移動が抑制される一方、前記第２作業空間における前記第２踏板の上面に前記第２方向の力が与えられていない第２状態の間は、前記第２移動棚の前記第２作業空間への移動が可能である構成としてもよい。
【００１７】
また本発明に係る移動棚のロック装置では、前記第１状態は、前記作業者が前記第２作業空間における前記第２踏板に乗っている状態であり、前記第２状態は、前記作業者が前記第２作業空間における前記第２踏板に乗っていない状態とすることもできる。
【００１８】
また本発明に係る移動棚のロック装置では、前記第２移動棚は、前記第１移動棚の後列に配置されてもよい。
【発明の効果】
【００１９】
本発明に係る移動棚のロック装置によれば、簡易な構成及び操作により移動棚をロックすることができる。
【図面の簡単な説明】
【００２０】
【図１】実施形態１に係る移動棚システムの概略構成を示す斜視図である。
【図２】実施形態１に係る移動棚システムにおける固定ベースの概略構成を示す斜視図である。
【図３】実施形態１に係るロック装置における踏板の具体的な構成を示す図であり、（ａ）は踏板の平面図であり、（ｂ）は（ａ）のＡ矢視図である。
【図４】図２のＢ矢視図であり、（ａ）は作業者が踏板に乗っていない状態（ラッチ解除状態）を示し、（ｂ）はラッチ解除状態のときに作業者が踏板に乗ったときの状態（ロック状態）を示している。
【図５】図４（ｂ）に示すロック状態の後に作業者が踏板から降りたときの状態（ラッチ固定状態）を示している。
【図６】実施形態１に係る移動棚における台車の具体的な構成を示す図であり、（ａ）は台車の平面図であり、（ｂ）は（ａ）のＣ矢視図であり、（ｃ）は（ａ）のＤ矢視図である。
【図７】実施形態１に係る移動棚システムにおいて、作業者が踏板に乗っておらず、かつ踏板が下方位置に固定されていないとき（ラッチ解除状態）の様子を示す側面図である。
【図８】図７の部分拡大図である。
【図９】実施形態１に係る移動棚システムにおいて、移動棚が移動している途中の様子を示す図である。
【図１０】実施形態１に係る移動棚システムにおいて、作業者が踏板に乗っているとき（ロック状態）の様子を示す側面図である。
【図１１】図１０の部分拡大図である。
【図１２】実施形態１に係る移動棚システムにおいて、作業者が踏板に乗る前の様子を示す斜視図である。
【図１３】作業者が踏板に乗っておらず、かつ踏板３２が下方位置に固定されているとき（ラッチ固定状態）の他の様子を示す側面図である。
【図１４】実施形態１に係る移動棚システムにおいて、作業者が踏板に乗っているとき（ロック状態）の他の様子を示す側面図である。
【図１５】図１４の部分拡大図である。
【図１６】実施形態１に係るロック装置におけるストッパの他の構成を示す斜視図である。
【図１７】実施形態２に係る移動棚システムの概略構成を示す斜視図である。
【図１８】実施形態２に係る移動棚システムにおける固定ベースの概略構成を示す斜視図である。
【図１９】実施形態２に係るロック装置における踏板の具体的な構成を示す図であり、（ａ）は踏板の平面図であり、（ｂ）は（ａ）のＡ矢視図である。
【図２０】図１８のＢ矢視図であり、（ａ）は作業者が踏板に乗っていない状態（第２状態）を示し、（ｂ）は作業者が踏板に乗っている状態（第１状態）を示している。
【図２１】実施形態２に係る移動棚システムにおいて、作業者が踏板に乗っていないとき（第２状態）の様子を示す拡大側面図である。
【図２２】実施形態２に係る移動棚システムにおいて、作業者が踏板に乗っているとき（第１状態）の様子を示す拡大側面図である。
【図２３】実施形態２に係る移動棚システムにおけるロック装置の動作例を示す側面図である。
【図２４】実施形態２に係る移動棚システムにおけるロック装置の動作例を示す側面図である。
【図２５】実施形態２に係る移動棚システムにおいて、作業者が踏板に乗っているとき（第１状態）の他の様子を示す側面図である。
【図２６】実施形態２に係る移動棚システムにおいて、作業者が踏板に乗っていないとき（第２状態）の変形例に係るロック装置の様子を示す側面図である。
【図２７】実施形態２に係る移動棚システムにおいて、作業者が踏板に乗っているとき（第１状態）の変形例に係るロック装置の様子を示す側面図である。
【発明を実施するための形態】
【００２１】
本発明の実施形態について、図面を用いて以下に説明する。本発明の実施形態に係る移動棚システムは、例えば壁面に沿って設置された複数の固定棚と、複数の固定棚の前方（前列）に設置された少なくとも１個の移動棚と、を備えている。移動棚は、固定棚の前に１列だけ設置されてもよいし、２列以上設置されてもよい。以下に示す実施形態１では、移動棚が１列だけ設置された移動棚システムを例に挙げて説明し、実施形態２では、移動棚が２列設置された移動棚システムを例に挙げて説明する。
【００２２】
［実施形態１］
図１は、実施形態１に係る移動棚システムの概略構成を示す斜視図である。実施形態１に係る移動棚システムは、横方向（間口方向）に移動可能に設置された少なくとも１個（図１では２個）の移動棚１（第１移動棚）と、移動棚１の後方（後列）に固定して設置された複数（図１では３個）の固定棚２と、床面に設置された固定ベース３と、を備えている。また、移動棚システムは、移動棚１の移動を規制するロック装置を備えている。尚、移動棚１と固定棚２の数は限定されないが、移動棚１の数は固定棚２の数より少なくなっている。
【００２３】
固定ベース３は、移動棚１の下に配置された前後一対のレール３１Ａ、３１Ｂと、レール３１Ａ、３１Ｂの間に設置された複数の踏板３２（第１踏板）と、を備えている。固定ベース３は、床面に固定されている。一対のレール３１Ａ、３１Ｂは、図１に示す横方向に沿って、互いに平行に配置されており、複数の踏板３２は、横方向に並べられている。また踏板３２は、作業者が後列の固定棚２を使用する際に乗る部分であり、固定棚２の前方の作業空間（第１作業空間）における作業床となる。踏板３２は、固定棚２と同じ数だけ分割して設置されており、図１に示す例では３枚設置されている。
【００２４】
移動棚１は、レール３１Ａ、３１Ｂ上に移動可能に載置された台車１１と、台車１１上に載置されて固定された移動棚本体１２（収納庫）と、を備えている。台車１１は、レール３１Ａ、３１Ｂ上を走行する４個の車輪１１１（図６参照）を備えている。移動棚１は、作業者の手動操作により横方向（図１参照）に移動可能に構成されている。移動棚１は、踏板３２の上方を横方向に移動する。
【００２５】
固定棚２は、固定ベース３の後側に載置されて固定された後部ベース２１と、後部ベース２１上に載置されて固定された固定棚本体２２（収納庫）と、を備えている。
【００２６】
図１に示す移動棚本体１２及び固定棚本体２２は、扉付きキャビネットを示しているが、収納庫の種類は限定されない。尚、図１に示す移動棚システムは、移動棚１が移動棚本体１２の幅（間口）方向に移動する横スライド方式を示している。
【００２７】
図２は、固定ベース３の概略構成を示す斜視図である。固定ベース３は、前後方向に一体に形成されており、固定棚２と同じ数だけ（ここでは３個）設置されている。踏板３２は、固定ベース３の前側において、上方向（第１方向）及び下方向（第２方向）に移動可能に設置されている。固定ベース３は、さらに、踏板３２の上下方向の移動（位置）を固定するための被係合部３１３（固定部）を備えている。被係合部３１３は、例えば固定ベース３の中間フレーム３３にネジ等により固定されている。尚、図２には、１個の固定棚２が載置される１個の後部ベース２１を示している。
【００２８】
図３は、踏板３２の具体的な構成を示す図である。図３（ａ）は踏板３２の平面図であり、図３（ｂ）は図３（ａ）のＡ矢視図（側面図）である。踏板３２は、踏板本体３２０と、踏板本体３２０の前側の裏面に設けられたバネ３２１（第１付勢部）（例えば圧縮コイルバネ）と、踏板本体３２０の前側の裏面に設けられた規制部３２２と、踏板本体３２０の後端部の側面に設けられた回転軸部３２３と、踏板本体３２０の中央側の上面及び裏面に設けられたラッチ機構３２６（固定部）と、を備えている。バネ３２１は、踏板本体３２０の奥行方向の前側かつ幅方向の中央付近に１個設けられ、規制部３２２は、バネ３２１より前側かつ幅方向の両端部付近に１個ずつ設けられ、回転軸部３２３は、踏板本体３２０の奥行方向の後端部かつ幅方向の両端部付近に１個ずつ設けられ、ラッチ機構３２６は、踏板本体３２０の奥行方向の中央付近かつ幅方向の中央付近に１個設けられている。規制部３２２は、１個だけ設けられて、バネ３２１と同じ位置においてバネ３２１と共にネジ等により固定されてもよい。図３（ｂ）に示すように、規制部３２２は、踏板本体３２０の裏面から第２方向に延在する規制部側板３２２Ａと、規制部側板３２２Ａから前方に延在する規制部底板３２２Ｂと、を備えている。ラッチ機構３２６は、作業者が操作（押下操作）する操作部３２６Ａと、操作部３２６Ａに対する操作に応じて前後方向に作動（進退動作）する係合部３２６Ｂと、を備えている。踏板本体３２０の中央付近には開口部が形成されており、ラッチ機構３２６は、操作部３２６Ａが踏板本体３２０の裏面から開口部に挿通されて上方（第１方向）に突出するとともに、係合部３２６Ｂが前方向側に向くようにして、踏板本体３２０の裏面にネジ等により固定されている。図２に示すように、踏板３２は、一対のレール３１Ａ、３１Ｂが設置された後に、レール３１Ａ、３１Ｂの間に取り付けられる。バネ３２１の一端（上端）は、踏板本体３２０の前側の裏面にネジ等により固定され（図３（ｂ）参照）、バネ３２１の他端（下端）は、固定ベース３の中間フレーム３３上に当接される（図２参照）。図３に示すラッチ機構３２６は、ラッチ機構３２６の動作に応じて、図２に示す被係合部３１３に固定（ラッチ固定）されたり、被係合部３１３から解除（解放）（ラッチ解除）されたりする。
【００２９】
図４及び図５は、図２のＢ矢視図（側面図）である。図４（ａ）は作業者が踏板３２に乗っていない状態（ラッチ解除状態）を示し、図４（ｂ）はラッチ解除状態のときに作業者が踏板３２に乗ったときの状態（ロック状態）を示し、図５はロック状態の後に作業者が踏板３２から降りたときの状態（ラッチ固定状態）を示している。
【００３０】
図４及び図５に示すように、固定ベース３は、レール３１Ａを受容して固定するレールカバー３１Ｄと、レール３１Ｂを受容して固定するレールカバー３１Ｃと、を備えている。レールカバー３１Ｃは、踏板３２の回転軸部３２３が挿入される開口部３１１Ｃを備えている。レールカバー３１Ｄは、レール３１Ａが載置される底板３１１Ｄと、底板３１１Ｄから上方（第１方向）に立ち上がる側板３１２Ｄと、を備えている。被係合部３１３は、図１に示すように、固定ベース３の中間フレーム３３に固定されており、中間フレーム３３と被係合部３１３の上部（上面）との間に係合部３２６Ｂを受容するための空間（受容部）が形成されている。被係合部３１３は、ラッチ機構３２６の係合部３２６Ｂをその進退動作に応じて受容する。係合部３２６Ｂが被係合部３１３に受容された状態を係合状態といい、係合部３２６Ｂが被係合部３１３に受容されていない状態が非係合状態という。
【００３１】
図４（ａ）に示すように、踏板３２は、回転軸部３２３がレールカバー３１Ｃの開口部３１１Ｃに挿入されるとともに、規制部３２２の規制部底板３２２Ｂがレールカバー３１Ｄの底板３１１Ｄの下に挿入されるように、固定ベース３に設置される。図４（ａ）に示すラッチ解除状態では、バネ３２１が、常に、踏板３２（踏板本体３２０）の裏面に、床面から上方へ向かう第１方向に付勢力（第１付勢力）（図中の矢印）を与えている。これにより、規制部３２２の規制部底板３２２Ｂが、底板３１１Ｄの裏面に当接している。また、図４（ａ）に示すラッチ解除状態では、踏板３２の前端部の上面が、踏板３２の後端部の上面、レール３１Ａ、３１Ｂの上面、及び固定ベース３の上面より高さＨ１だけ高くなっており、踏板３２とレールカバー３１Ｄの側板３１２Ｄとの間に間隙３２４が形成されている。また、図４（ａ）に示すラッチ解除状態では、ラッチ機構３２６の係合部３２６Ｂは、被係合部３１３の上方に位置しており被係合部３１３に係合していない。
【００３２】
図４（ｂ）に示すロック状態では、作業者が踏板３２に乗ることにより、踏板３２（踏板本体３２０）の上面に上記付勢力に抗する第２方向の力が加わる。これにより、バネ３２１が縮んで、踏板３２が、回転軸部３２３を支点にして床面に向かう第２方向に回転（移動）する。尚、図４（ｂ）に示す状態では、操作部３２６Ａは作業者により踏み込まれていない。踏板３２が第２方向に回転すると、これに伴って、ラッチ機構３２６の係合部３２６Ｂが、第２方向に移動して被係合部３１３の上部に当接する。さらに踏板３２が第２方向に回転すると、係合部３２６Ｂは、被係合部３１３の上部に規制されてラッチ機構３２６の内部方向（図４（ｂ）の後方向）に後退する。さらに踏板３２が第２方向に回転して、係合部３２６Ｂの上部の位置が被係合部３１３の上部の位置より下がると被係合部３１３による規制が外れ、係合部３２６Ｂが、ラッチ機構３２６の内部から外部方向（図４（ｂ）の前方向）（被係合部３１３の受容部方向）に前進して、被係合部３１３に係合する。そして、踏板３２は、前端部の裏面（下面）がレールカバー３１Ｄの側板３１２Ｄの上面に当接することによって回転が停止する。図４（ｂ）に示すロック状態では、踏板３２の前端部の上面が、踏板３２の後端部の上面、レール３１Ａ、３１Ｂの上面、及び固定ベース３の上面と同じ高さになり、踏板３２とレールカバー３１Ｄの側板３１２Ｄとの間の間隙３２４（図４（ａ）参照）が小さくなる（又は、なくなる）。
【００３３】
図４（ｂ）に示すロック状態のときに作業者が踏板３２から降りると、図５に示すように、踏板３２は、バネ３２１による第１方向の付勢力（図５の矢印）によって、第１方向に回転する。踏板３２が第１方向に回転すると、これに伴って、ラッチ機構３２６の係合部３２６Ｂが、被係合部３１３に係合した状態で第１方向に移動して被係合部３１３の上部の裏面に当接する。これにより、図５に示すように、係合部３２６Ｂは被係合部３１３に係合した状態を維持し、踏板３２は下方位置において固定される。図５に示すラッチ固定状態では、バネ３２１が踏板本体３２０の裏面に第１方向の付勢力を与える一方、ラッチ機構３２６の係合部３２６Ｂが被係合部３１３に係合することにより、踏板３２の第１方向への移動が規制されている。
【００３４】
図５に示すラッチ固定状態において、作業者がラッチ機構３２６の操作部３２６Ａを押下（ラッチ解除動作）すると、係合部３２６Ｂがラッチ機構３２６の内部方向（図５の後方向）に後退する。これにより、係合部３２６Ｂと被係合部３１３との係合状態が解除（ラッチ解除）され、踏板３２が、バネ３２１による第１方向の付勢力（図５の矢印）によって回転し、再び図４（ａ）に示す状態になる。
【００３５】
このように、踏板３２は、作業者が乗り降りする動作と作業者が操作部３２６Ａを操作する動作（ラッチ解除動作）とに応じて、間隙３２４に相当する距離だけ移動（回転）して、図４（ａ）の状態と図４（ｂ）の状態と図５の状態とを繰り返す。
【００３６】
図６は、台車１１の具体的な構成を示す図である。図６（ａ）は台車１１の平面図であり、図６（ｂ）は図６（ａ）のＣ矢視図（正面図）であり、図６（ｃ）は図６（ａ）のＤ矢視図（側面図）である。台車１１は、四隅に配置された４個の車輪１１１と、台車１１の移動方向（横方向）に延在するストッパ１１２（第１ストッパ）と、奥行方向に延在する側板の端部に取り付けられた４個の緩衝ゴム１１３と、を備えている。図６（ｃ）に示すように、ストッパ１１２は、台車１１の底面から床面に向かって（第２方向に）延在する第１部分１１２Ａと、第１部分１１２Ａから、台車１１の移動方向に交わる方向（ここでは奥行方向）の後方に延在する第２部分１１２Ｂとを備え、台車１１を構成する部材に固定されている。またストッパ１１２は、台車１１がレール３１Ａ、３１Ｂ上に載置された状態のときに、第２部分１１２Ｂの先端部が、間隙３２４（図５（ａ）参照）の内部に挿入されるように、台車１１に固定される（図７参照）。台車１１の上面には移動棚本体１２が載置されて固定される。尚、ストッパ１１２は、２個に分割されて、台車１１の左右端部（図６（ａ）参照）に設けられてもよい。
【００３７】
図７は、作業者が踏板３２に乗っておらず、かつ踏板３２が下方位置に固定されていないとき（ラッチ解除状態）の移動棚システムの様子を示す側面図である。図７に示す固定ベース３は、図４（ａ）と同じ状態を示している。図８は、図７の部分拡大図である。尚、図７及び図８では、図１の右端の移動棚１（台車１１を含む）の右側面と、図１の中央の踏板３２（作業床）の右側面とを示している。
【００３８】
図７及び図８に示すように、作業者が踏板３２（作業床）に乗っていないときは、ストッパ１１２の第２部分１１２Ｂが、踏板３２に当接しない状態であるため、間隙３２４（図８参照）の内部を移動可能であり、移動棚１が横方向（図７及び図８の紙面に対して垂直方向）に移動可能になる。ストッパ１１２の第２部分１１２Ｂと、作業床の踏板３２の左右の踏板３２との位置関係も同様である。尚、図７に示すように、移動棚１の前方への転倒を防止する転倒防止金具１１４が台車１１に設けられてもよい。図９には、作業床の踏板３２の上方を移動棚１が移動している途中の様子を示している。図９に示すように、作業者が移動棚１に対して横方向に力を加えると、ストッパ１１２の第２部分１１２Ｂが間隙３２４内を移動しながら、移動棚１が横方向に移動する。
【００３９】
図１０は、作業者が踏板３２に乗っているとき（ロック状態）の移動棚システムの様子を示す側面図である。図１０に示す固定ベース３は、図４（ｂ）と同じ状態を示している。図１１は、図１０の部分拡大図である。尚、図１０及び図１１では、図７及び図８と同様に、図１の右端の移動棚１（台車１１を含む）の右側面と、図１の中央の踏板３２（作業床）の右側面とを示している。
【００４０】
図１０及び図１１に示すように、作業者が踏板３２（作業床）に乗ると、当該踏板３２は、間隙３２４（図４（ａ）参照）に相当する距離（Ｈ１）だけ第２方向に回転して、ラッチ機構３２６の係合部３２６Ｂが被係合部３１３に係合し、踏板３２の前端部の裏面がレールカバー３１Ｄの側板３１２Ｄの上面に当接して固定される。これにより、床面から踏板３２（作業床）の前端部の中心（上下方向）までの高さと、床面からストッパ１１２の第２部分１１２Ｂの中心（上下方向）までの高さとが略等しくなり、踏板３２（作業床）の前端部の側面が第２部分１１２Ｂの側面に当接可能になる。例えば、図１２に示す状態において、作業者が踏板３２に乗った後に移動棚１を左方向に移動させた場合、当該踏板３２の前端部の側面がストッパ１１２の第２部分１１２Ｂの側面に当接する。これにより、移動棚１の左方向（作業空間）への移動が抑制（ロック）される。尚、図１２では、説明の便宜上、移動棚１の直下の踏板３２は省略して図示している。
【００４１】
図１３は、作業者が踏板３２に乗っておらず、かつ踏板３２が下方位置に固定されているとき（ラッチ固定状態）の移動棚システムの様子を示す拡大側面図である。図１３に示す固定ベース３は、図５と同じ状態を示している。
【００４２】
図１３に示すように、図１１に示すロック状態のときに作業者が踏板３２から降りると、踏板３２は、バネ３２１による第１方向の付勢力（図１３の矢印）によって、第１方向に僅かに回転するものの、係合部３２６Ｂは被係合部３１３に係合した状態を維持し、踏板３２は下方位置において固定される。これにより、ロック状態に引き続き、踏板３２（作業床）の前端部の側面は第２部分１１２Ｂの側面に当接可能な状態が維持され、移動棚１の左方向（作業空間）への移動が抑制（ロック）される。
【００４３】
ここで、作業者が踏板３２に乗っておらず、かつ踏板３２が下方位置に固定されていないとき（図７に示すラッチ解除状態のとき）に、ストッパ１１２の第２部分１１２Ｂが間隙３２４の内部を移動可能になるための条件（移動棚１が移動可能になるための条件）は、例えば、床面からストッパ１１２の第２部分１１２Ｂの中心までの高さが、床面からレールカバー３１Ｄの側板３１２Ｄの上面までの高さより高く、かつ、床面から踏板３２の前端部の裏面（下面）までの高さより低いことである（図４及び図７参照）。すなわち、ストッパ１１２の第２部分１１２Ｂが、間隙３２４内に収まっていればよい。一方、作業者が踏板３２に乗っているとき（図１０に示すロック状態のとき）、及び、ロック状態のときに作業者が踏板３２から降りたとき（図１３に示すラッチ固定状態のとき）に、踏板３２の前端部の側面と第２部分１１２Ｂの側面とが当接可能になるための条件（移動棚１をロックするための条件）は、例えば、床面からストッパ１１２の第２部分１１２Ｂの中心までの高さが、床面から踏板３２の前端部の裏面までの高さより高く、かつ、床面から踏板３２の前端部の上面までの高さより低いことである。すなわち、側面から見たときに（図１１及び図１３参照）、ストッパ１１２の第２部分１１２Ｂの先端部の少なくとも一部が、踏板３２の前端部の側面の少なくとも一部に重畳していればよい。踏板３２及びストッパ１１２の形状及び外形寸法は、上記各条件を満たす範囲で適宜設定すればよい。尚、移動棚１がロックされる状態では、踏板３２の前端部とストッパ１１２の第２部分１１２Ｂとは、それぞれの側面同士が当接してもよいし、それぞれの側面の一部が部分的に当接してもよい。すなわち、踏板３２の前端部とストッパ１１２の第２部分１１２Ｂとは、それぞれの側部（側面及び側面の一部を含む）同士が当接すればよい。
【００４４】
実施形態１に係るロック装置は、踏板３２と、台車１１に設置されるストッパ１１２と、固定ベース３に設置される被係合部３１３と、により構成されている。作業者が移動棚システムを使用するときの、移動棚１のロック装置の動作例について以下に説明する。
【００４５】
先ず、作業者は、例えば後列の固定棚２（例えば図１に示す中央の固定棚２）に物品を収納する場合、当該固定棚２の前方に位置する移動棚１を横方向に移動させて作業空間（図１に示す前方の中央部分）を確保する。このとき、少なくとも踏板３２の幅（横方向の長さ）以上の間口を有する作業空間を確保することが好ましい。これにより、作業床となる中央の踏板３２全体が露出した状態となる（図１参照）。次に、作業者は、作業空間に進入して、作業床の踏板３２の上に乗る。すると、作業者の重量によって作業床の踏板３２が下方（第２方向）に移動（回転）し、ラッチ機構３２６の係合部３２６Ｂが被係合部３１３に係合するとともに、レールカバー３１Ｄの側板３１２Ｄの上面に当接して（図４（ｂ）参照）、図１０及び図１１に示す状態になる。これにより、踏板３２の前端部の側面がストッパ１１２の第２部分１１２Ｂの側面に当接可能になるため、作業者の左右に位置する移動棚１がロックされ、移動棚１の作業空間への移動が抑制（規制）される。作業者は、確保された作業空間で固定棚２に物品を収納する。次に、作業が終了すると、作業者は、踏板３２から降りて作業空間から退出する。作業者が踏板３２から降りても、係合部３２６Ｂが被係合部３１３に係合した状態が維持されるため（図１３参照）、依然として移動棚１の作業空間への移動が抑制（規制）される。作業者が移動棚１を移動させたい場合は、ラッチ機構３２６の操作部３２６Ａを押下する。すると、係合部３２６Ｂと被係合部３１３との係合状態が解除（ラッチ解除）され、踏板３２がバネ３２１の付勢力により上方（第１方向）に移動（回転）し、規制部３２２が底板３１１Ｄの裏面に当接して（図４（ａ）参照）、図７及び図８に示す状態になる。これにより、移動棚１のロックが解除され、左右への移動が可能になる。
【００４６】
移動棚１のロック装置の動作は上記動作に限定されない。例えば、作業者が、踏板３２の幅（横方向の長さ）よりも小さい間口を有する作業空間で作業を行う場合が考えられる。この場合、図９に示すように、作業床となる１枚の踏板３２の一部が移動棚１で覆われ、ストッパ１１２の第２部分１１２Ｂが、当該踏板３２の間隙３２４（図４（ａ）参照）に入り込んだ状態となる。この状態で作業者が作業空間に進入して踏板３２（作業床）の上に乗ると、作業者の重量によって踏板３２が下方（第２方向）に移動（回転）し、踏板３２の前端部の裏面がストッパ１１２の第２部分１１２Ｂの上面に当接して、図１４に示す状態になる。図１５は、図１４の部分拡大図である。図１４及び図１５に示す状態では、ラッチ機構３２６の係合部３２６Ｂは被係合部３１３に係合しておらず、ストッパ１１２の第２部分１１２Ｂの上面に、常に、作業者の重量に応じた力が加わる。これにより、踏板３２とストッパ１１２との接触面の摩擦力により、移動棚１の左右の移動が抑制される。作業が終了して作業者が踏板３２から降りると、踏板３２がバネ３２１の付勢力により上方（第１方向）に移動（回転）し、規制部３２２が底板３１１Ｄの裏面に当接して（図４（ａ）参照）、図７〜図９に示す状態（第２状態）になる。これにより、移動棚１のロックが解除され、左右への移動が可能になる。
【００４７】
実施形態１に係るロック装置の構成によれば、例えば作業者が作業空間に入る（踏板３２に乗る）だけで、移動棚１をロック状態にすることができる。すなわち、上記構成によれば、作業者は、移動棚１をロックするための特別な操作を行う必要がなくなる。また移動棚１が存在する位置に関わらず、作業者が作業空間に入ることによって移動棚１をロックすることができる。例えば移動棚１が、図９に示すように踏板３２の幅より小さい作業空間が形成される途中位置に存在する場合であっても、移動棚１をロックすることができる。よって、実施形態１に係るロック装置によれば、簡易な構成及び操作により移動棚１をロックすることが可能になる。また、作業者が意識することなく移動棚１がロックされるため、従来の構成と比較して、作業空間における作業者の安全性を高めることができる。
【００４８】
さらに、作業者が作業空間から退出してラッチ機構３２６のラッチ解除動作を行わない場合には、移動棚１のロック状態が維持される。このため、例えば移動棚システムの未使用時に地震等により移動棚１が移動することを防ぐことができる。
【００４９】
ここで、実施形態１に係るロック装置は、既存の移動棚システムに取り付けることが可能な構成を有してもよい。例えば図３に示した踏板３２の構成によれば、図２に示す方法により、既存の踏板を図３に示す踏板３２に容易に交換することができる。また、図６に示したストッパ１１２を図１６に示す構成とすることにより、図１６に示すストッパ１１２を既存の移動棚に取り付けることが可能となる。図１６に示すストッパ１１２は、台車１１の側面に当接されるストッパ側板１１２Ｃと、緩衝ゴム１１３と共にネジ止めするためのネジ穴１１２Ｅと、ストッパ側板１１２Ｃから台車１１の底面方向に延在するストッパ底板１１２Ｄと、ストッパ底板１１２Ｄから床面に向かって（第２方向に）延在する第１部分１１２Ａと、第１部分１１２Ａから奥行方向の後方に延在する第２部分１１２Ｂとを備えている。図１６に示す第１部分１１２Ａ及び第２部分１１２Ｂは、図６に示す第１部分１１２Ａ及び第２部分１１２Ｂと同一の機能を有している。上記構成によれば、移動棚がレール上に設置された状態の既存の移動棚システムに上記ロック装置（踏板、ストッパ及び被係合部）を取り付けることにより、簡易な構成及び操作により既存の移動棚をロックすることが可能になる。
【００５０】
［実施形態２］
本発明の実施形態２について、図面を用いて以下に説明する。なお、説明の便宜上、実施形態１において示した構成部材と同一の構成部材には同一の符号を付し、その説明を省略する。また、実施形態１において定義した用語については特に断らない限り実施形態２においてもその定義に則って用いるものとする。
【００５１】
図１７は、実施形態２に係る移動棚システムの概略構成を示す斜視図である。実施形態２に係る移動棚システムは、前列において横方向（間口方向）に移動可能に設置された少なくとも１個（図１７では２個）の移動棚１Ａ（第１移動棚）と、移動棚１Ａの後方（中列）において横方向（間口方向）に移動可能に設置された少なくとも１個（図１７では２個）の移動棚１Ｂ（第２移動棚）と、移動棚１Ｂの後方（後列）に固定して設置された複数（図１７では３個）の固定棚２と、床面に設置された固定ベース３と、を備えている。また、実施形態２に係る移動棚システムにおけるロック装置は、移動棚１Ａの移動を規制する第１ロック装置と、移動棚１Ｂの移動を規制する第２ロック装置と、を含んでいる。尚、移動棚１Ａ、１Ｂと固定棚２の数は限定されないが、移動棚１Ａ、１Ｂのそれぞれの数は固定棚２の数より少なくなっている。
【００５２】
実施形態２に係る移動棚１Ａは、実施形態１に係る移動棚１と同じ構成を有し、実施形態２に係る第１ロック装置は、実施形態１に係るロック装置と同じ構成を有している。すなわち、第１ロック装置は、実施形態１に係る踏板３２（図３参照）とストッパ１１２（図６参照）と被係合部３１３（図２参照）とにより構成されている。以下では、移動棚１Ａ及び第１ロック装置の説明は適宜省略し、移動棚１Ｂ及び第２ロック装置の構成を中心に説明する。
【００５３】
固定ベース３は、移動棚１Ａの下に配置された前後一対のレール３１Ａ、３１Ｂと、レール３１Ａ、３１Ｂの間に設置された複数の踏板３２Ａ（第１踏板）と、移動棚１Ｂの下に配置された前後一対のレール３４Ａ、３４Ｂと、レール３４Ａ、３４Ｂの間に設置された複数の踏板３２Ｂ（第２踏板）と、を備えている。固定ベース３は、床面に固定されている。複数の踏板３２Ａ、３２Ｂは、それぞれ、横方向に並べられている。また踏板３２Ａは、例えば作業者が中列の移動棚１Ｂを使用する際に乗る部分であり、移動棚１Ｂの前方の作業空間（第１作業空間）における作業床となる。また踏板３２Ｂは、例えば作業者が後列の固定棚２を使用する際に乗る部分であり、固定棚２の前方の作業空間（第２作業空間）における作業床となる。踏板３２Ａ、３２Ｂは、それぞれ、固定棚２と同じ数だけ分割して設置されており、図１７に示す例では３枚ずつ設置されている。
【００５４】
移動棚１Ｂは、レール３４Ａ、３４Ｂ上に移動可能に載置された台車１１と、台車１１上に載置されて固定された移動棚本体１２Ｂ（収納庫）と、を備えている。台車１１は、実施形態１に係る台車１１（図６参照）と同じ構成を有している。移動棚１Ｂは、作業者の手動操作により横方向（図１７参照）に移動可能に構成されている。移動棚１Ａは、踏板３２Ａの上方を横方向に移動し、移動棚１Ｂは、踏板３２Ｂの上方を横方向に移動する。
【００５５】
図１８は、固定ベース３の概略構成を示す斜視図である。固定ベース３は、前後方向に一体に形成されており、固定棚２と同じ数だけ（ここでは３個）設置されている。踏板３２Ａ、３２Ｂは、固定ベース３の前側において、上方向（第１方向）及び下方向（第２方向）に移動可能に設置されている。踏板３２Ａは、実施形態１に係る踏板３２（図２及び図３参照）と同じ構成を有している。
【００５６】
図１９は、踏板３２Ｂの具体的な構成を示す図である。図１９（ａ）は踏板３２Ｂの平面図であり、図１９（ｂ）は図１９（ａ）のＡ矢視図（側面図）である。踏板３２Ｂは、踏板本体３２０と、踏板本体３２０の前側の裏面に設けられたバネ３２１（第２付勢部）（例えば圧縮コイルバネ）と、踏板本体３２０の前側の裏面に設けられた規制部３２２と、踏板本体３２０の後端部の側面に設けられた回転軸部３２３と、を備えている。バネ３２１は、踏板本体３２０の奥行方向の前側かつ幅方向の中央付近に１個設けられ、規制部３２２は、バネ３２１より前側かつ幅方向の両端部付近に１個ずつ設けられ、回転軸部３２３は、踏板本体３２０の奥行方向の後端部かつ幅方向の両端部付近に１個ずつ設けられている。図１９（ｂ）に示すように、規制部３２２は、踏板本体３２０の裏面から第２方向に延在する規制部側板３２２Ａと、規制部側板３２２Ａから前方に延在する規制部底板３２２Ｂと、を備えている。図１８に示すように、踏板３２Ｂは、一対のレール３４Ａ、３４Ｂが設置された後に、レール３４Ａ、３４Ｂの間に取り付けられる。バネ３２１の一端（上端）は、踏板本体３２０の前側の裏面にネジ等により固定され（図１９（ｂ）参照）、バネ３２１の他端（下端）は、固定ベース３の中間フレーム３３上に当接される（図１８参照）。
【００５７】
図２０は、図１８のＢ矢視図（側面図）であり、図２０（ａ）は作業者が踏板３２Ｂに乗っていない状態（第２状態）を示し、図２０（ｂ）は作業者が踏板３２Ｂに乗っている状態（第１状態）を示している。
【００５８】
図２０に示すように、固定ベース３は、レール３４Ａを受容して固定するレールカバー３１Ｄと、レール３４Ｂを受容して固定するレールカバー３１Ｃと、を備えている。レールカバー３１Ｃは、踏板３２Ｂの回転軸部３２３が挿入される開口部３１１Ｃを備えている。レールカバー３１Ｄは、レール３４Ａが載置される底板３１１Ｄと、底板３１１Ｄから上方（第１方向）に立ち上がる側板３１２Ｄと、を備えている。
【００５９】
図２０（ａ）に示すように、踏板３２Ｂは、回転軸部３２３がレールカバー３１Ｃの開口部３１１Ｃに挿入されるとともに、規制部３２２の規制部底板３２２Ｂがレールカバー３１Ｄの底板３１１Ｄの下に挿入されるように、固定ベース３に設置される。図２０（ａ）に示す状態では、バネ３２１が、常に、踏板３２Ｂ（踏板本体３２０）の裏面に、床面から上方へ向かう第１方向に付勢力（第２付勢力）（図中の矢印）を与えている。これにより、規制部３２２の規制部底板３２２Ｂが、底板３１１Ｄの裏面に当接している。また、図２０（ａ）に示す状態では、踏板３２Ｂの前端部の上面が、踏板３２Ｂの後端部の上面、レール３４Ａ、３４Ｂの上面、及び固定ベース３の上面より高さＨ１だけ高くなっており、踏板３２Ｂとレールカバー３１Ｄの側板３１２Ｄとの間に間隙３２４Ｂが形成されている。
【００６０】
図２０（ｂ）に示す状態では、作業者が踏板３２Ｂに乗ることにより、踏板３２Ｂ（踏板本体３２０）の上面に上記第２付勢力に抗する第２方向の力が加わる。これにより、バネ３２１が縮んで、踏板３２Ｂが、回転軸部３２３を支点にして床面に向かう第２方向に回転（移動）する。踏板３２Ｂは、前端部の裏面（下面）がレールカバー３１Ｄの側板３１２Ｄの上面に当接することによって回転が停止する。図２０（ｂ）に示す状態では、踏板３２Ｂの前端部の上面が、踏板３２Ｂの後端部の上面、レール３４Ａ、３４Ｂの上面、及び固定ベース３の上面と同じ高さになり、踏板３２Ｂとレールカバー３１Ｄの側板３１２Ｄとの間の間隙３２４Ｂ（図２０（ａ）参照）が小さくなる（又は、なくなる）。作業者が踏板３２Ｂから降りると、踏板３２Ｂは、バネ３２１による第１方向の第２付勢力（図２０（ａ）の矢印）によって、再び図２０（ａ）に示す状態になる。
【００６１】
このように、踏板３２Ｂは、作業者の乗り降りする動作に応じて、間隙３２４Ｂに相当する距離だけ移動（回転）して、図２０（ａ）の状態と図２０（ｂ）の状態とを繰り返す。
【００６２】
図２１は、作業者が踏板３２Ｂに乗っていないとき（第２状態）の移動棚システムの様子を示す拡大側面図である。図２１に示す固定ベース３は、図２０（ａ）と同じ状態を示している。尚、図２１では、図１７の右端の移動棚１Ｂ（台車１１を含む）の右側面と、図１７の中央の踏板３２Ｂ（作業床）の右側面とを示している。
【００６３】
図２１に示すように、作業者が踏板３２Ｂ（作業床）に乗っていないときは、ストッパ１１２（第２ストッパ）の第２部分１１２Ｂが、踏板３２Ｂに当接しない状態であるため、間隙３２４Ｂの内部を移動可能であり、移動棚１Ｂが横方向（図２１の紙面に対して垂直方向）に移動可能になる。ストッパ１１２の第２部分１１２Ｂと、作業床の踏板３２Ｂの左右の踏板３２Ｂとの位置関係も同様である。
【００６４】
図２２は、作業者が踏板３２Ｂに乗っているとき（第１状態）の移動棚システムの様子を示す拡大側面図である。図２２に示す固定ベース３は、図２０（ｂ）と同じ状態を示している。尚、図２２では、図２１と同様に、図１７の右端の移動棚１Ｂ（台車１１を含む）の右側面と、図１７の中央の踏板３２Ｂ（作業床）の右側面とを示している。
【００６５】
図２２に示すように、作業者が踏板３２Ｂ（作業床）に乗ると、当該踏板３２Ｂは、間隙３２４Ｂ（図２０（ａ）参照）に相当する距離（Ｈ１）だけ第２方向に回転して、踏板３２Ｂの前端部の裏面がレールカバー３１Ｄの側板３１２Ｄの上面に当接して固定される。これにより、床面から踏板３２Ｂ（作業床）の前端部の中心（上下方向）までの高さと、床面からストッパ１１２の第２部分１１２Ｂの中心（上下方向）までの高さとが略等しくなり、踏板３２Ｂ（作業床）の前端部の側面が第２部分１１２Ｂの側面に当接可能になる。例えば、作業者が踏板３２に乗った後に移動棚１を左方向に移動させた場合（図１２参照）、当該踏板３２Ｂの前端部の側面がストッパ１１２の第２部分１１２Ｂの側面に当接する。これにより、移動棚１Ｂの左方向（作業空間）への移動が抑制（ロック）される。
【００６６】
ここで、作業者が踏板３２Ｂに乗っていないときにストッパ１１２の第２部分１１２Ｂが間隙３２４Ｂの内部を移動可能になるための条件（移動棚１Ｂが移動可能になるための条件）は、実施形態１における移動棚１（移動棚１Ａ）が移動可能になるための条件と同一である。また作業者が踏板３２に乗っているときに踏板３２Ｂの前端部の側面と第２部分１１２Ｂの側面とが当接可能になるための条件（移動棚１Ｂをロックするための条件）は、実施形態１における移動棚１（移動棚１Ａ）をロックするための条件と同一である。
【００６７】
実施形態２に係る第２ロック装置は、踏板３２Ｂと、台車１１に設置されるストッパ１１２とにより構成されている。作業者が移動棚システムを使用するときの、移動棚１Ａの第１ロック装置及び移動棚１Ｂの第２ロック装置の動作例について、図２３及び図２４を用いて以下に説明する。
【００６８】
先ず、作業者は、例えば後列の固定棚２（例えば図１７に示す中央の固定棚２）に物品を収納する場合、当該固定棚２の前方（最前列）に位置する移動棚１Ａを横方向に移動させて第１作業空間（図１７に示す前列の中央部分）を確保する。このとき、少なくとも踏板３２Ａの幅（横方向の長さ）以上の間口を有する作業空間を確保することが好ましい。これにより、作業床となる中央の踏板３２Ａ全体が露出した状態となる（図１７、図２３（ａ）参照）。次に、作業者は、第１作業空間に進入して、作業床の踏板３２Ａの上に乗る（図２３（ｂ）参照）。すると、作業者の重量によって作業床の踏板３２Ａが下方（第２方向）に移動（回転）し、ラッチ機構３２６の係合部３２６Ｂが被係合部３１３に係合するとともに、レールカバー３１Ｄの側板３１２Ｄの上面に当接して、図１１及び図２３（ｂ）に示す状態になる。これにより、踏板３２Ａの前端部の側面がストッパ１１２の第２部分１１２Ｂの側面に当接可能になるため、作業者の左右に位置する移動棚１Ａがロックされ、移動棚１Ａの第１作業空間への移動が抑制（規制）される。
【００６９】
続いて、作業者は、目的の固定棚２の前方（中列）に位置する移動棚１Ｂを横方向に移動させて第２作業空間（図１７に示す中列の中央部分）を確保する。このとき、少なくとも踏板３２Ｂの幅（横方向の長さ）以上の間口を有する作業空間を確保することが好ましい。これにより、作業床となる中央の踏板３２Ｂ全体が露出した状態となる（図１７、図２３（ｂ）参照）。次に、作業者は、踏板３２Ａから踏板３２Ｂに移動する（図２４（ａ）参照）。作業者が踏板３２Ａから降りた場合、係合部３２６Ｂが被係合部３１３に係合した状態が維持されるため、依然として移動棚１Ａの第１作業空間への移動が抑制（規制）される（図１３、図２４（ａ）参照）。また作業者が作業床の踏板３２Ｂの上に乗ると、作業者の重量によって作業床の踏板３２Ｂが下方（第２方向）に移動（回転）し、レールカバー３１Ｄの側板３１２Ｄの上面に当接して、図２２及び図２４（ａ）に示す状態になる。これにより、踏板３２Ｂの前端部の側面がストッパ１１２の第２部分１１２Ｂの側面に当接可能になるため、作業者の左右に位置する移動棚１Ｂがロックされ、移動棚１Ｂの第２作業空間への移動が抑制（規制）される。作業者は、確保された第１作業空間及び第２作業空間を使用して固定棚２に物品を収納する。
【００７０】
続いて、作業が終了すると、作業者は、再び踏板３２Ｂから踏板３２Ａに移動する（図２４（ｂ）参照）。すると、踏板３２Ｂがバネ３２１の第２付勢力により上方（第１方向）に移動（回転）し、規制部３２２が底板３１１Ｄの裏面に当接して、図２１及び図２４（ｂ）に示す状態になる。これにより、移動棚１Ｂのロックが解除され、移動棚１Ｂの左右への移動が可能になる。また作業者が、踏板３２Ａに乗って係合部３２６Ｂと被係合部３１３との係合状態を解除する操作（ラッチ解除操作）、例えば操作部３２６Ａを足で踏み込む操作を行った後に、踏板３２Ａから降りて第１作業空間から退出した場合、上記係合状態が解除される。これにより、踏板３２Ａがバネ３２１の第１付勢力により上方（第１方向）に移動（回転）し、規制部３２２が底板３１１Ｄの裏面に当接して、図８及び図２３（ａ）に示す状態になる。これにより、移動棚１Ａのロックが解除され、移動棚１Ａの左右への移動が可能になる。
【００７１】
移動棚１Ｂの第２ロック装置の動作は上記動作に限定されない。例えば、作業者が、踏板３２Ｂの幅（横方向の長さ）よりも小さい間口を有する第２作業空間で作業を行う場合が考えられる。この場合は、実施形態１に係るロック装置（第１ロック装置）（図１５参照）と同様に、図２５に示すように、踏板３２Ｂとストッパ１１２との接触面の摩擦力により、移動棚１Ｂの左右の移動が抑制される。
【００７２】
実施形態２に係るロック装置の構成によれば、例えば図１７に示す３列（前列、中列、後列）で構成される移動棚システムにおいて、作業者は後列の棚を使用する際に、前列の第１作業空間及び中列の第２作業空間に入る（踏板３２Ａ、３２Ｂに乗る）だけで前列の移動棚１Ａ及び中列の移動棚１Ｂをロック状態にすることができる。すなわち、上記構成によれば、作業者は、移動棚１Ａ、１Ｂをロックするための特別な操作を行う必要がなくなる。また、例えば移動棚１Ａ、１Ｂが、図９に示すように踏板３２Ａ、３２Ｂの幅より小さい第１作業空間及び第２作業空間が形成される途中位置に存在する場合であっても、移動棚１Ａ、１Ｂをロックすることができる。よって、実施形態２に係るロック装置（第１ロック装置、第２ロック装置）によれば、簡易な構成及び操作により移動棚１Ａ、１Ｂをロックすることが可能になる。また、作業者が意識することなく移動棚１Ａ、１Ｂがロックされるため、従来の構成と比較して、作業空間における作業者の安全性を高めることができる。
【００７３】
ここで、実施形態２に係る第２ロック装置は、実施形態１に係るロック装置（第１ロック装置）と同様に、既存の移動棚システムに取り付けることが可能な構成を有してもよい。例えば図１９に示した踏板３２Ｂの構成によれば、図１８に示す方法により、既存の踏板を図１９に示す踏板３２Ｂに容易に交換することができる。また、図６に示したストッパ１１２を図１６に示す構成とすることにより、図１６に示すストッパ１１２を既存の移動棚に取り付けることが可能となる。
【００７４】
［変形例］
本発明に係る移動棚システム及びロック装置は、上記各実施形態の構成に限定されず、以下に示す構成（変形例）であってもよい。
【００７５】
例えば、図１に示す２列（前列、後列）で構成される移動棚システムにおいて、実施形態１に係るロック装置（図３参照）は、１個の移動棚１に対応する箇所のみに設けられてもよい。具体的には例えば、複数の踏板３２のうち端部（左端部又は右端部）の踏板３２のみにバネ３２１と規制部３２２と回転軸部３２３とラッチ機構３２６とが設けられ、端部の台車のみにストッパ１１２が設けられ、固定ベース３における、上記端部の踏板３２の下方のみに被係合部３１３が設けられてもよい。これにより、１箇所のロック装置だけで、移動棚１を端部に寄せて全体をロックすることができる。よって、特に移動棚システムを使用しないときに移動棚１全体をロックすることができるため未使用時の安全性を確保することができる。また、ラッチ機構３２６の操作部３２６Ａに鍵を用いて、鍵によりラッチ解除する構成としてもよい。これにより、移動棚システムに収納する物品のセキュリティを確保することができる。
【００７６】
また、操作部３２６Ａは、図３に示すように踏板３２の上面に設けられてもよいし、ベース３の例えば前面に設けられてもよい。また、ラッチ機構３２６は、作業者が踏板３２に一度乗るとラッチ固定状態になり（図５参照）、作業者が踏板３２に再度乗るとラッチ固定状態が解除される構成であってもよい。この構成によれば、作業者は踏板３２を操作する（踏み込む）だけでロック状態にしたりロック状態を解除したりすることができる。
【００７７】
また、第１ロック装置及び第２ロック装置が、同列に並べられた踏板３２に設けられてもよい。すなわち、踏板３２Ａと踏板３２Ｂとが隣り合っても配置されてもよい。
【００７８】
また実施形態１、２に係るロック装置は、作業者が踏板３２（３２Ａ、３２Ｂ）に乗っていない状態（又はラッチ解除状態）のときに、踏板３２の前端部の上面が、踏板３２の後端部の上面、レールの上面、及び固定ベース３の上面より高さＨ１だけ高くなる構成（図４（ａ）及び図２０（ａ）参照）であるが、本発明に係るロック装置はこれに限定されない。例えば、本発明に係るロック装置は、作業者が踏板３２に乗っていない状態のときに、踏板３２の前端部の上面が、踏板３２の後端部の上面、レールの上面、及び固定ベース３の上面と同じ高さになり、作業者が踏板３２に乗っている状態（又はロック状態）のときに、踏板３２の前端部の上面が、踏板３２の後端部の上面、レールの上面、及び固定ベース３の上面より高さＨ１だけ低くなるように構成してもよい。さらに他の構成として、作業者が踏板３２に乗っていない状態（又はラッチ解除状態）のときに、踏板３２の前端部の上面が、踏板３２の後端部の上面、レールの上面、及び固定ベース３の上面より高さ（Ｈ１）／２だけ高くなり、作業者が踏板３２に乗っている状態（又はロック状態）のときに、踏板３２の前端部の上面が、踏板３２の後端部の上面、レールの上面、及び固定ベース３の上面より高さ（Ｈ１）／２だけ低くなるように構成してもよい。尚、これらの構成を採用する場合は、規制部３２２の規制部側板３２２Ａの長さと、ストッパ１１２の第１部分１１２Ａの長さとを適宜調整すれば良い。
【００７９】
また実施形態１、２に係るロック装置は、ストッパ１１２が台車１１の前方に設けられ、かつ、踏板３２（３２Ａ、３２Ｂ）が、後方を支点（回転軸）にして前方が第１方向及び第２方向に回転する構成であるが、本発明に係るロック装置はこれに限定されない。例えば、本発明に係るロック装置は、ストッパ１１２が台車１１の後方に設けられ、かつ、踏板３２が、前方を支点（回転軸）にして後方が第１方向及び第２方向に回転する構成であってもよい。また、本発明に係るロック装置は、回転軸部３２３が省略され、踏板３２が第１方向及び第２方向に床面と平行に移動する構成であってもよい。この場合、バネ３２１は、踏板３２の中心（幅方向及び奥行方向）に１個設けられてもよいし、奥行方向の前後に複数個設けられてもよい。
【００８０】
また実施形態１、２に係るロック装置では、踏板３２（３２Ａ、３２Ｂ）が固定棚２と同じ数だけ設置されているが、踏板３２の数はこれに限定されず、例えば横方向に１枚だけ設置されてもよい。具体的には、２本のレールの間に、レールと同じ長さを有する１枚の踏板３２が設置されてもよい。この場合、移動棚１（１Ａ、１Ｂ）の位置に関わらず、作業者が作業空間に進入して踏板３２の所望の場所に乗ると、ロック装置が図１５及び図２５に示す状態になって移動棚１がロックされる。この構成では、踏板３２の全体が第２方向（下方）に移動するため、全ての移動棚１を同時にロックすることができる。
【００８１】
また実施形態１、２に係るロック装置の動作では、作業者が踏板３２（３２Ａ、３２Ｂ）に乗ったときに移動棚１（１Ａ、１Ｂ）がロックする例を示したが、移動棚１をロックする方法はこれに限定されず、例えば踏板３２の上に荷物等を載せることにより移動棚１をロックしてもよい。これにより、作業者がいないときに常に移動棚１をロックすることもできる。
【００８２】
また上述した移動棚システムでは、固定ベース３にレールが２本設けられているが、本発明の移動棚システムはこれに限定されない。例えば、図１に示す２列（前列、後列）で構成される移動棚システムにおいて、固定ベース３に、台車１１に設置された２個の車輪が走行する１本のレールが設置され、かつ、移動棚１の上部にローラーが設置され、固定棚２の上部に当該ローラーをガイドするガイドレールが設置されてもよい。
【００８３】
また上述した移動棚システムは、横スライド方式であるが、本発明の移動棚システムはこれに限定されない。例えば、図１に示す２列（前列、後列）で構成される移動棚システムは、移動棚１が移動棚本体１２の奥行方向に移動する縦スライド方式であってもよい。
【００８４】
また上記移動棚システムにおいて、固定棚本体２２は、移動棚１の後方において、直接床面に設置されてもよい。また、固定棚２が設置されておらず、壁面に沿って移動棚１が設置されてもよい。
【００８５】
また実施形態２に係る移動棚システムは、移動棚が２列（前列、中列）で構成されているが、本発明の移動棚システムはこれに限定されない。例えば、移動棚システムは、移動棚が３列以上設置されてもよい。この場合、最前列の移動棚に第１ロック装置（実施形態１に係るロック装置）が搭載され、それよりも後列の移動棚に第２ロック装置（実施形態２に係るロック装置）が搭載されてもよいし、最後列の移動棚に第２ロック装置（実施形態２に係るロック装置）が搭載され、それよりも前列の移動棚に第１ロック装置（実施形態１に係るロック装置）が搭載されてもよい。
【００８６】
また実施形態２に係る移動棚システムでは、第２ロック装置が、図２６及び図２７に示す構成であってもよい。図２６は、作業者が踏板３２Ｂに乗っていないとき（第２状態）の変形例に係る第２ロック装置の様子を示す側面図であり、図２７は、作業者が踏板３２Ｂに乗っているとき（第１状態）の変形例に係る第２ロック装置の様子を示す側面図である。変形例に係る第２ロック装置の踏板３２Ｂは、踏板本体３２０の前部の裏面に設けられた第１バネ３２１Ａと、踏板本体３２０の後部の裏面に設けられた第２バネ３２１Ｂと、第１バネ３２１Ａ及び第２バネ３２１Ｂの間（例えば踏板３２Ｂの側面の中心）に設けられた回転軸部３２５と、を備えている。また変形例に係る第２ロック装置のストッパは、台車１１の前部に設けられた前部ストッパ１１２と、台車１１の後部に設けられた後部ストッパ１１５と、を備えている。前部ストッパ１１２及び後部ストッパ１１５は、それぞれ、第１部分１１２Ａ、１１５Ａと、第２部分１１２Ｂ、１１５Ｂとを備えている。
【００８７】
第１バネ３２１Ａは、常に、踏板３２Ｂ（踏板本体３２０）の前部の裏面に付勢力（図２６中の矢印）を与え、第２バネ３２１Ｂは、常に、踏板３２Ｂ（踏板本体３２０）の後部の裏面に付勢力（図２６中の矢印）を与えている。回転軸部３２５は、踏板３２Ｂが第１方向及び第２方向に回転可能に固定ベース３に固定されている。尚、回転軸部３２５は、隣り合う踏板３２Ｂの回転軸部３２５に連結されてもよい。これにより、作業者が踏板３２Ｂに乗っていないときは、図２６に示すように、踏板３２Ｂの前部と後部とに均等に付勢力が与えられるため、踏板３２Ｂは床面と平行な状態で維持され、踏板３２Ｂの前部及び後部の上面がレール３４Ａ、３４Ｂの上面と同じ高さになり、移動棚１Ｂが横方向（図２６の紙面に対して垂直方向）に移動可能になる。
【００８８】
一方、図２６に示す状態で作業者が第２作業空間に進入して作業床の踏板３２Ｂの前部の上に乗ると、回転軸部３２５を支点にして、作業者の重量によって踏板３２Ｂの前部が下方（第２方向）に移動（回転）するとともに、踏板３２Ｂの後部が上方（第１方向）に移動（回転）する。これにより、図２７に示すように、踏板３２Ｂの前部が、レール３４Ａ、３４Ｂの上面より下方に没するとともに、踏板３２Ｂの後部が、レール３４Ａ、３４Ｂの上面より上方に突出する。このように、変形例に係る第２ロック装置の踏板３２Ｂは、いわゆるシーソー構造を有している。これにより、図２７に示すように、踏板３２Ｂの後部の側面（側部）が、後部ストッパ１１５の第２部分１１５Ｂの側面（側部）に当接可能になるため、当該踏板３２Ｂに乗っている作業者の左右に位置する移動棚１Ｂがロックされ、移動棚１Ｂの第２作業空間側への移動が抑制される。尚、作業者が踏板３２Ｂの後部の上に乗った場合は、踏板３２Ｂの後部が下方に移動するとともに、踏板３２Ｂの前部が上方に移動することにより、踏板３２Ｂの前部の側面（側部）が、前部ストッパ１１２の第２部分１１２Ｂの側面（側部）に当接可能になり、作業者の左右に位置する移動棚１Ｂがロックされる。
【００８９】
また、作業者が、踏板３２Ｂの幅（横方向の長さ）よりも小さい間口を有する第２作業空間に進入して踏板３２Ｂの前部の上に乗った場合は、踏板３２Ｂの後部の上面が、後部ストッパ１１５の第２部分１１５Ｂの下面に当接する。これにより、踏板３２Ｂと後部ストッパ１１５との接触面の摩擦力により、移動棚１Ｂの左右の移動が抑制される。
【００９０】
尚、上記変形例に係る第２ロック装置は、作業者が踏板３２Ｂに乗っていないときに踏板３２Ｂが床面と平行な状態で維持される構成であれば、第１バネ３２１Ａ及び第２バネ３２１Ｂの何れかが省略されてもよいし、両方とも省略されてもよい。また、作業者が踏板３２Ｂに乗っているときに踏板３２Ｂの前部又は後部が台車１１の側部に当接可能になる場合は、前部ストッパ１１２及び後部ストッパ１１５が省略されてもよい。
【００９１】
以上のように、実施形態２に係る第２ロック装置は、以下の構成を備えていることを特徴とし、上述した各形態及び各形態から当業者が適宜変更した形態も含まれる。すなわち、第２ロック装置は、上方を移動棚１Ｂが通過するとともに作業者が乗る踏板３２Ｂを備え、第２作業空間における踏板３２Ｂの上面に下方向（第２方向）の力が与えられた場合（第１状態）（例えば、作業者が第２作業空間における踏板３２Ｂに乗った場合）は、例えば当該踏板３２Ｂの側部が移動棚１Ｂに当接可能になることによって、移動棚１Ｂの第２作業空間への移動が抑制（ロック）される一方、第２作業空間における踏板３２Ｂの上面に下方向の力が与えられなくなった場合（第２状態）（例えば、作業者が第２作業空間における踏板３２Ｂから降りた場合）は、例えば当該踏板３２Ｂが移動棚１Ｂに当接しなくなることによって、移動棚１Ｂのロックが解除され、移動棚１Ｂの第２作業空間への移動が可能になる（移動棚１Ｂが当該踏板３２Ｂの上方を移動可能になる）、構成を備えている。これにより、簡易な構成及び操作により移動棚１Ｂをロックすることができる。
【００９２】
以上、本発明の実施形態について説明したが、本発明は上記各実施形態に限定されるものではなく、本発明の趣旨を逸脱しない範囲内で上記各実施形態から当業者が適宜変更した形態も本発明の技術的範囲に含まれることは言うまでもない。
【符号の説明】
【００９３】
１  移動棚、１Ａ  移動棚（第１移動棚）、１Ｂ  移動棚（第２移動棚）、２  固定棚、３  固定ベース、１１  台車、１２，１２Ａ，１２Ｂ  移動棚本体、２１  後部ベース、２２  固定棚本体、３１Ａ，３１Ｂ，３４Ａ，３４Ｂ  レール、３２  踏板、３２Ａ  踏板（第１踏板）、３２Ｂ  踏板（第２踏板）、１１１  車輪、１１２  ストッパ（第１ストッパ、第２ストッパ）、１１２Ａ  （ストッパの）第１部分、１１２Ｂ  （ストッパの）第２部分、３２１  バネ（第１付勢部、第２付勢部）、３２２  規制部、３２３  回転軸部、３２４，３２４Ａ，３２４Ｂ  間隙。
【図１】
2019033962.tif 000003
【図２】
2019033962.tif 000004
【図３】
2019033962.tif 000005
【図４】
2019033962.tif 000006
【図５】
2019033962.tif 000007
【図６】
2019033962.tif 000008
【図７】
2019033962.tif 000009
【図８】
2019033962.tif 000010
【図９】
2019033962.tif 000011
【図１０】
2019033962.tif 000012
【図１１】
2019033962.tif 000013
【図１２】
2019033962.tif 000014
【図１３】
2019033962.tif 000015
【図１４】
2019033962.tif 000016
【図１５】
2019033962.tif 000017
【図１６】
2019033962.tif 000018
【図１７】
2019033962.tif 000019
【図１８】
2019033962.tif 000020
【図１９】
2019033962.tif 000021
【図２０】
2019033962.tif 000022
【図２１】
2019033962.tif 000023
【図２２】
2019033962.tif 000024
【図２３】
2019033962.tif 000025
【図２４】
2019033962.tif 000026
【図２５】
2019033962.tif 000027
【図２６】
2019033962.tif 000028
【図２７】
2019033962.tif 000029